(57)【要約】【課題】第１、第２の出力ポートが上下に横方向に延設されてあっても水抜き完了後に低位置側の第２の出力ポート内での残水の滞留が防止される流量制御弁を提供する。【解決手段】流量制御弁１は、サーボ本体１０内に縦方向に延設されてサーボ本体１０の底部に開口する入力ポート１１と、サーボ本体１０内の上下に横方向に延設されてサーボ本体１０の側部に上下に開口する第１、第２の出力ポート１２，１３と、入力ポート１１から第１、第２の出力ポート１２，１３へ供給される水量を調節する第１の水量調節弁２０と、第１、第２の出力ポート１２，１３へそれぞれ分配される水量を調節する第２の水量調節弁３０とを備える。第１の出力ポート１２よりも低位置に設けた第２の出力ポート１３の奥側にあって入力ポート１１と隣接した壁部１０ａには、横方向に貫通形成されて第２の出力ポート１３と入力ポート１１とを連通する連通路６を設けた。【選択図】図２
2011236980.tif 000002
【特許請求の範囲】
【請求項１】
温水機器に取付けられて水流を２系統に振り分けるための流量制御弁であって、
サーボ本体内に縦方向に延設されてサーボ本体の底部に開口する入力ポートと、
サーボ本体内の上下に横方向に延設されてサーボ本体の側部に上下に開口する第１、第２の出力ポートと、
入力ポートから第１、第２の出力ポートへ供給される全水量を調節する第１の水量調節弁と、
第１、第２の出力ポートへそれぞれ分配される水量を調節する第２の水量調節弁とを備え、
第１の出力ポートよりも低位置に設けた第２の出力ポートの奥側にあって入力ポートと隣接した壁部には、横方向に貫通形成されて第２の出力ポートと入力ポートとを連通する連通路を設けた流量制御弁。
【請求項２】
請求項１に記載の流量制御弁において、
上記連通路は、入力ポート側の開口が第２の出力ポート側の開口よりも小径に形成されている流量制御弁。
【請求項３】
請求項１又は２に記載の流量制御弁において、
上記入力ポートには、入力ポート内を流れる水量を検知する水量センサが設けられ、
上記連通路は、入力ポートにおける水量センサの下流位置に連通されている流量制御弁。
【請求項４】
請求項１〜３のいずれか１項に記載の流量制御弁において、
上記連通路を通って入力ポートから第２の出力ポートへ水が流出するのを阻止するための漏出阻止手段が設けられている流量制御弁。
【請求項５】
請求項１〜４のいずれか１項に記載の流量制御弁において、
上記第１の水量調節弁を収容するサーボ本体部と、上記第２の水量調節弁を収容するサーボ本体部とが一体に構成されている流量制御弁。
【発明の詳細な説明】
【技術分野】
【０００１】
本発明は、温水機器に取付けられて水流を２系統に振り分けるための流量制御弁に関する。
【背景技術】
【０００２】
従来、水流を２系統に振り分けるための制御弁として、例えば、特許文献１に記載の分流弁がある。この分流弁１００は、図７に示すように、サーボ本体１４０内に水平方向に延設されてサーボ本体１４０の一方の側部に開口する入力ポート１１１と、入力ポート１１１から上下に分岐されると共にサーボ本体１４０内の上下に水平方向に延設されてサーボ本体１４０の他方の側部に上下に開口する第１、第２の出力ポート１１２，１１３と、入力ポート１１１と第１、第２の出力ポート１１２，１１３との連通部に配設されて入力ポート１１１から第１、第２の出力ポート１１２，１１３へそれぞれ分配される水量を調節する水量調節弁３００とを備える。そして、水量調節弁３００は、第１、第２の出力ポート１１２，１１３の水量を制御するために上下に配置する二つの弁体１１５，１１６を上方から垂設する一つのシャフト１２０に固定し、このシャフト１２０の上端にモータ１３０を連結した構成とし、モータ１３０によってシャフト１２０の移動量を調節することにより、第１、第２の出力ポート１１２，１１３へ分配する水量を調節するようにしている。
【０００３】
上記分流弁１００は、例えば、給湯器において、図７に示した姿勢で入力ポート１１１の上流側には上水源から延設された給水元管が接続されると共に、第１の出力ポート１１２には熱交換器に給水する給水管が接続され、第２の出力ポート１１３には熱交換器で加熱された湯を出湯する出湯管に合流されるバイパス管に接続される。そして、分流弁１００により第１の出力ポート１１２と第２の出力ポート１１３とから流出される水量の分流比を調節して出湯管の端末での湯の温調制御に利用される。
【先行技術文献】
【特許文献】
【０００４】
【特許文献１】特開２００５−３１９０号公報
【０００５】
【特許文献２】特開２０１０−３８３３６号公報
【発明の概要】
【発明が解決しようとする課題】
【０００６】
ところで、冬場等において熱交換器や配管の凍結による破損防止のために給湯器より低い位置にある給水元管に設置された排水弁を開いて熱交換器内や配管内の残水を上記分流弁１００を通過させて排水弁から機外へ排水させる水抜きが行われる。この水抜き時、上記分流弁１００では、第１の出力ポート１１２内の残水は入力ポート１１１を通って排水されるが、第２の出力ポート１１３は入力ポート１１１よりも低位置にあるため、第２の出力ポート１１３内の残水は入力ポート１１１へは流出されずに、水抜きが完了した後も第２の出力ポート１１３内に留まってしまう。そのため、第２の出力ポート１１３内に溜まった残水が凍結すると、シャフト１２０や弁体１１６等が固着してシャフト１２０の移動が阻害されたり第２の出力ポート１１３が閉塞されたりして、分流弁１００が動作不良を起こすことがあった。
【０００７】
本発明は、上記事情に鑑みてなされたものであり、第１、第２の出力ポートが上下に横方向に延設されて第２の出力ポートが低位置にあっても、水抜き完了後における第２の出力ポート内での残水の滞留が防止される流量制御弁を提供することを課題とする。
【課題を解決するための手段】
【０００８】
本発明に係る流量制御弁は、
温水機器に取付けられて水流を２系統に振り分けるための流量制御弁であって、
サーボ本体内に縦方向に延設されてサーボ本体の底部に開口する入力ポートと、
サーボ本体内の上下に横方向に延設されてサーボ本体の側部に上下に開口する第１、第２の出力ポートと、
入力ポートから第１、第２の出力ポートへ供給される全水量を調節する第１の水量調節弁と、
第１、第２の出力ポートへそれぞれ分配される水量を調節する第２の水量調節弁とを備え、
第１の出力ポートよりも低位置に設けた第２の出力ポートの奥側にあって入力ポートと隣接した壁部には、横方向に貫通形成されて第２の出力ポートと入力ポートとを連通する連通路を設けたものである。
【０００９】
上記構成によれば、第１、第２の出力ポートに接続される配管内の残水を上記流量制御弁を通過させて入力ポートに接続される配管の排水弁から機外へ排水させる水抜き時には、第２の出力ポート内へ流れ込んだ残水を上記連通路を通じて入力ポートへ排水させることができる。従って、第２の出力ポートが第１の出力ポートより低位置にあっても、水抜きが完了した後に、第２の出力ポート内に残水が滞留することを抑制することができる。なお、第１の出力ポートは、第２の出力ポートよりも高位置にあるので、第１の出力ポート内の残水は、残らず入力ポートへ流出される。
【００１０】
上記連通路は、入力ポート側の開口が第２の出力ポート側の開口よりも小径に形成されているのが望ましい。
これによれば、この流量制御弁の通常の運転動作時には、入力ポートへ供給された水が連通路から第２の出力ポートへ流出し難くなる。従って、第１、第２の水量調節弁での水量の制御を複雑にすることがなく、第１、第２の水量調節弁での水量の制御は、上記連通路を設けない場合とほとんど同様に行うことができる。
【００１１】
上記入力ポートには、入力ポート内を流れる水量を検知する水量センサが設けられ、
上記連通路は、入力ポートにおける水量センサの下流位置に連通されているのが望ましい。
これによれば、この流量制御弁の通常の運転動作時には、水量センサを通過しないで連通路から第２の出力ポートへ水が流出することがないから、水量センサよって入力ポート内を流れる全水量を正しく検知することができる。従って、水量センサの検知水量に基づいて第１の水量調節弁により全水量を調節する制御は、上記連通路を設けない場合とほとんど同様に行うことができる。
【００１２】
上記流量制御弁には、上記連通路を通って入力ポートから第２の出力ポートへ水が流出するのを阻止するための漏出阻止手段が設けられているのが望ましい。
これによれば、この流量制御弁の通常の運転動作時には、入力ポートへ供給された水が連通路から第２の出力ポートへ流出することがない。従って、第１、第２の水量調節弁での水量の制御は、上記連通路を設けない場合と同様に行うことができる。
【００１３】
上記流量制御弁は、上記第１の水量調節弁を収容するサーボ本体部と、上記第２の水量調節弁を収容するサーボ本体部とが一体に構成されているのが望ましい。
これによれば、第１の水量調節弁を収容するサーボ本体部と、第２の水量調節弁を収容するサーボ本体部とが別体で構成されて組み付けたものと比べて、上記壁部の厚さを薄くし上記連通路の長さを短く設定することが可能となる。その結果、連通路の通水抵抗が低く抑えられるので、水抜き時に第２の出力ポート内の残水が円滑に連通路へ導かれて第２の出力ポート内での残水の滞留をより確実に抑制することができる。
【発明の効果】
【００１４】
以上のように、本発明に係る流量制御弁によれば、第１、第２の出力ポートが上下に横方向に延設されて第２の出力ポートが低位置にあっても、水抜き完了後に第２の出力ポート内に残水が滞留するのを抑制することができる。従って、第２の出力ポート内の残水の凍結による第２の水量調節弁が動作不良を起こすことがなく正常に動作され、流量制御弁の動作の信頼性を向上することができる。
【図面の簡単な説明】
【００１５】
【図１】実施形態による流量制御弁を組み込んだ給湯器の概略構成を示す模式図である。
【図２】実施形態による流量制御弁の構成を示す断面図である。
【図３】他の実施形態として、連通路での漏出阻止手段となる逆止弁を設けた例を示す図であり、同図（Ａ）は逆止弁の断面図、同図（Ｂ）は弁の外観図、同図（Ｃ）はケーシングの外観図である。
【図４】他の実施形態として、連通路での漏出阻止手段となる他の逆止弁を設けた例を示す図であり、同図（Ａ）は逆止弁の断面図、同図（Ｂ）は弁の外観図、同図（Ｃ）はケーシングの外観図である。
【図５】他の実施形態として、連通路での漏出阻止手段となるシャッター機構を設けた例を示す断面拡大図である。
【図６】他の実施形態として、水量サーボと分流サーボのボディ本体を別体として組み付けた流量制御弁を示す断面図である。
【図７】従来の分流弁の構成を示す断面図である。
【発明を実施するための形態】
【００１６】
以下に、本発明の実施の形態について図面を参照しながら説明する。
図１に示すように、実施形態の流量制御弁１は、温水機器としての給湯器Ａの給水部に取付けられ、上流側の水量サーボ部２と、下流側の分流サーボ部３とで構成されている。水量サーボ部２と分流サーボ部３のそれぞれのサーボ本体部は、一体形成されて流量制御弁１のサーボ本体１０を構成している。そして、水量サーボ部２には上水源から延設された給水元管Ｌ１が接続され、この水量サーボ部２により給水元管Ｌ１から供給される全水量を調節する。分流サーボ部３からは、給湯器Ａの熱交換器ｈに給水する給水管Ｌ２と、熱交換器ｈで加熱された湯を出湯する出湯管Ｌ４と合流されるバイパス管Ｌ３とが導出され、この分流サーボ部３により給水管Ｌ２とバイパス管Ｌ３とへの給水量の分流比を調節し、出湯管Ｌ４の末端での出湯温度の温調に利用される。
【００１７】
図２に示すように、水量サーボ部２は、サーボ本体１０の底部に開口しサーボ本体１０内に略垂直な縦方向に延設された入力ポート１１と、入力ポート１１の上端に連通されてサーボ本体１０内に略水平な横方向に延設された第１弁室１４と、第１弁室１４内に配設された第１の水量調節弁２０と、サーボ本体１０の側部に取付けられて第１の水量調節弁２０を駆動するモータ２Ａとを備える。
【００１８】
サーボ本体１０の底部の開口が入口１１ａとなって給水元管Ｌ１が接続される。第１弁室１４の下流は、分流サーボ部３の流入通路１５が連続形成されており、この第１弁室１４の下流端が流入通路１５よりも大径となって弁座４１が形成されている。第１の水量調節弁２０は、弁座４１に当接・離間する弁体２２と、弁体２２が取付けられたシャフト２１とを有し、シャフト２１の一端側にはモータ２Ａが連結されている。シャフト２１は、第１弁室１４の中心線に沿って挿通され、第１弁室１４内を横方向（軸線方向）に進退移動可能に保持されている。そして、モータ２Ａの駆動によってシャフト２１を進退移動させてシャフト２１の移動量を調節することにより、弁体２２と弁座４１との開度が調節されて入力ポート１１から流入通路１５へ流れ込む全水量が調節される。
【００１９】
また、入力ポート１１には、給水元管Ｌ１から供給される水の水量を検知する水量センサ５が組み込まれている。この水量センサ５は、両端が開放する筒状のケーシング５１と、ケーシング５１内に周方向へ回動自在に軸支した羽根車５２とを備え、羽根車５２の回転数に対応した磁場の強弱変化を検知することにより給水元管Ｌ１から入力ポート１１へ供給された水の水量が計測される。
【００２０】
分流サーボ部３は、サーボ本体１０の側部に上下に開口しサーボ本体１０内の上下に略水平な横方向に延設された第１、第２の出力ポート１２，１３と、第１、第２の出力ポート１２，１３と連通されてサーボ本体１０内に略水平な横方向に延設された流入通路１５と、流入通路１５と第１、第２の出力ポート１２，１３との連通部に設けられた第２弁室１６と、第２弁室１６内に配設された第２の水量調節弁３０と、サーボ本体１０の上部に取付けられて第２の水量調節弁３０を駆動するモータ３Ａとを備える。
【００２１】
第１、第２の出力ポート１２，１３は、流入通路１５から第２弁室１６を介して上下に分岐されており、第１の出力ポート１２が上側に配置され、第２の出力ポート１３が下側に配置されている。そして、サーボ本体１０の側部の上側の開口が第１の出力ポート１２と連通する第１出口１２ａとなり、その下側の開口が第２の出力ポート１３と連通する第２出口１３ａとなっている。第１出口１２ａには熱交換器ｈに給水する給水管Ｌ２が接続され、第２出口１３ａには出湯管Ｌ４と合流されるバイパス管Ｌ３が接続される。
【００２２】
第２弁室１６の上部と第１の出力ポート１２との間には第１弁座４２が形成され、第２弁室１６の下部と第２の出力ポート１３との間には第２弁座４３が形成されている。第２の水量調節弁３０は、第１弁座４２に当接・離間する第１弁体３２と、第２弁座４３に当接・離間する第２弁体３３と、第２弁室１６の上方から略垂直に配設されて第１弁体３２、第２弁体３３を取付けたシャフト３１とを有し、シャフト３１の上端側にはモータ３Ａが連結されている。シャフト３１は、第１の出力ポート１２内を貫通して第２弁室１６内に挿通されて第２弁室１６内を縦方向に進退移動可能に保持されている。そして、モータ３Ａの駆動によってシャフト３１を進退移動させてシャフト３１の移動量を調節することにより、第１弁体３２と第１弁座４２との開度、及び第２弁体３３と第２弁座４３との開度が調節されて流入通路１５から第１、第２の出力ポート１２，１３へ分配する水の水量が調節される。
【００２３】
以上の構成の流量制御弁１によれば、給水元管Ｌ１から供給される水を給水管Ｌ２及びバイパス管Ｌ３へ分配供給する通常の運転動作を行う際に、水量サーボ部２により入力ポート１１から流入通路１５へ流れ込む全水量が調節され、また、分流サーボ部３により流入通路１５から第１、第２の出力ポート１２，１３への給水量の分配比が調節される。このようにして、熱交換器ｈ及びバイパス管Ｌ３へ供給される水量を制御することにより、出湯管Ｌ４の端末での湯の温調制御に利用される。
【００２４】
ところで、冬場等において熱交換器ｈや配管（Ｌ２，Ｌ３，Ｌ４等）が凍結して破損するのを防止のために給湯器Ａより低い位置にある給水元管Ｌ１に設置された排水弁（図１参照）Ｅを開いて熱交換器ｈ内や配管内の残水を上記流量制御弁１を通過させて排水弁Ｅから機外へ排水させる水抜きが行われる。この水抜き時、第１の出力ポート１２内の残水は流入通路１５に流れ込んで入力ポート１１を通って排水されるが、第２の出力ポート１３は流入通路１５よりも低位置にあるため、第２の出力ポート１３内の残水は流入通路１５に流し込むことができない。
【００２５】
そこで、本実施形態の流量制御弁１は、流入通路１５を介さずに第２の出力ポート１３から入力ポート１１につながった水抜き通路となる連通路６が形成されている。具体的に、連通路６は、流入通路１５よりも低位置に設けた第２の出力ポート１３の奥側にあって入力ポート１１と隣接した壁部１０ａにおいて、略水平な横方向に貫通形成されて第２の出力ポート１３と入力ポート１１とを連通するように設けられている。この連通路６は、第２弁体３３が第２弁座４３に開度ゼロの着座状態となったときのシャフト３１の先端３１ａよりも下位の高さ位置で水平に延設されている。また、連通路６は、大径部６１と小径部６２とが連設されており、第２の出力ポート１３側の開口が大径に形成され、入力ポート１１側の開口がそれよりも小径に形成されている。
【００２６】
このように、本実施形態による流量制御弁１によれば、上記水抜き時には、第２の出力ポート１３内へ流れ込んだ残水は連通路６を通じて入力ポート１１へ排水させることができる。従って、第２の出力ポート１３が第１の出力ポート１２や流入通路１５より低位置にあっても、水抜きが完了した後に、第２の出力ポート１３内に残水が滞留するのを抑制することができる。一方、第１の出力ポート１２内の残水は、この第１の出力ポート１２より低位置の流入通路１５を通って入力ポート１１へ流出される。なお、上記水抜き時には、第１の水量調節弁２０は流入通路１５と入力ポートとが連通される開度に保持され、第２の水量調節弁３０は第１、第２の出力ポート１２，１３と流入通路１５とが連通される開度に保持されている。
【００２７】
また、連通路６は、第２の出力ポート１３側の開口が入力ポート１１側の開口よりも大径となっているので、水抜き時には、第２の出力ポート１３へ流れ込んだ水が円滑に連通路６へ導かれるから第２の出力ポート１３内に残水が一層滞留し難くなる。一方、この連通路６は、入力ポート１１側の開口が第２の出力ポート１３側の開口よりも小径となっているから、上述した通常の運転動作時には、入力ポート１１へ供給された水が連通路６から第２の出力ポート１３へ流出し難く、そのほとんどが流入通路１５へ導かれる。従って、第１、第２の水量調節弁２０，３０での水量の制御を複雑にすることがなく、第１、第２の水量調節弁２０，３０での水量の制御は、上記連通路６を設けない場合とほとんど同様に行うことができる。
【００２８】
また、連通路６は、第２弁体３３が第２弁座４３に開度ゼロの着座状態となったときのシャフト３１の先端３１ａよりも下位の高さに設けられているので、上記水抜き時に連通路６を通じて抜けきれずに第２の出力ポート１３内にわずかに残水が滞留しても、この残水にシャフト３１の先端３１ａが浸ることはない。従って、第２の出力ポート１３内にわずかに滞留した残水が凍結しても、シャフト３１や第２弁体３３が固着されることがない。
【００２９】
以上より、第２の出力ポート１３内の残水の凍結によって第２の水量調節弁３０が動作不良を起こすことがなく正常に動作させることができ、流量制御弁１の動作の信頼性を向上することができる。
【００３０】
また、連通路６の入力ポート１１側の開口は、水量センサ５の羽根車よりも下流位置に開設されている。これにより、上述の通常の運転動作時に、入力ポート１１へ供給された水の一部が水量センサ５を通過しないで連通路６を通って第２の出力ポート１３へ流出されることがない。従って、水量センサ５によって入力ポート１１内に流れ込む全水量を正しく検知することができ、水量センサ５の検知水量に基づいて第１の水量調節弁２０により全水量を調節する制御は、上記連通路６を設けない場合とほとんど同様に行うことができる。
【００３１】
さらに、水量サーボ部２と分流サーボ部３のそれぞれのサーボ本体部が一体形成されてこの流量制御弁１のサーボ本体１０を構成するので、水量サーボ部２のサーボ本体部と、分流サーボ部３のサーボ本体部とが別体で構成されて組み付けたものと比べて、水量サーボ部２と分流サーボ部３とを接近させてコンパクトに形成することができる。従って、水量サーボ部２と分流サーボ部３との間の構成壁であって第２の出力ポート１３と入力ポート１１との間の壁部１０ａの厚さを薄く形成できるから、連通路６の長さを短く設定することが可能となる。その結果、連通路６の通水抵抗が低く抑えられ、水抜き時に第２の出力ポート１３内の残水が円滑に連通路６へ導かれて第２の出力ポート１３内での残水の滞留をより確実に抑制することができる。
【００３２】
（他の実施形態）
（１）他の実施形態は、上記実施形態の流量制御弁１（図２）において、連通路６を通って入力ポート１１から第２の出力ポート１３へ水が漏出するのを阻止するための漏出阻止手段としての逆止弁７０を連通路６内に設ける。
図３（Ａ）に示すように、逆止弁７０は、両端が開放する筒状のケーシング７１と、ケーシング７１内に移動自在に収容された弁７６とを備えている。ケーシング７１において、第２の出力ポート１３側を臨む開口が排水入口７０ａとなり、入力ポート１１側を臨む開口が排水出口７０ｂとなっている。この排水入口７０ａの内側には弁座７４が突設されている（逆止弁７０の断面図を示す図３（Ａ）参照）。また、排水出口７０ｂには弁７６の脱落防止となる三つ股形の柵部７５が形成されている（ケーシング７１のみを示す図３（Ｃ）参照）。また、ケーシング７１は、本体７２と蓋部７３とで構成され、図３（Ａ）（Ｃ）に示すものでは、排水入口７０ａを設けた側が本体７２を構成し、排水出口７０ｂを設けた側が蓋部７３を構成している。弁７６は、円盤形の弁部７７と、弁部７７から延設された断面三つ股形の脚部７８とで構成されている（弁７６のみを示す図３（Ｂ）参照）。弁部７７は、排水入口７０ａに対向されており、排水入口７０ａを開閉可能とする。脚部７８の外径は、弁部７７よりも大径で且つケーシング７１の内径と略一致されており、弁部７７の平面が排水入口７０ａに対して並行姿勢を保持して弁７６がケーシング７１内を軸線方向に移動可能となるように構成している。
【００３３】
以上の構成の逆止弁７０により、上述した水抜き時には、第２の出力ポート１３へ残水が流れ込むと、この残水の水圧で弁７６が排水出口７０ｂ側に移動して排水入口７０ａが開かれ、第２の出力ポート１３内の残水が連通路６を通って入力ポート１１へ流出される。一方、上述した通常の運転動作時には、入力ポート１１へ供給される水の水圧で弁７６が排水入口７０ａ側に移動して排水入口７０ａが閉じられるので、入力ポート１１から連通路６を通って第２の出力ポート１３へ水が漏出するのを阻止することができる。従って、通常の運転動作時には、入力ポート１１へ供給された水が連通路６から第２の出力ポート１３へ漏出することがなく入力ポート１１に供給された全ての水が流入通路１５に流される。よって、水量サーボ部２による水量の供給量制御や分流サーボ部３による水量の分配制御に支障を来たすことがなく、第１、第２の水量調節弁２０，３０での水量の制御は、連通路６を設けない場合と同様に行うことができる。
【００３４】
（２）また、逆止弁の他の例として、図４（Ａ）に示すように、弁７６Ａを排水入口７０ａ側へ付勢するバネｋを備えたバネ付きの逆止弁７０Ａとすることができる。この逆止弁７０Ａは、弁７６Ａの脚部７８に切欠き部７８ａが形成されており（弁７６Ａのみを示す図４（Ｂ）参照）、この切欠き部７８ａとケーシング７１の蓋部７３との間にバネｋが介装される。また、この逆止弁７０Ａは、弁部７７の排水入口７０ａ側に面する部位に環状の弁パッキン７９を設け（図４（Ａ）（Ｂ）参照）、弁７６Ａと排水入口７０ａとの密閉性を向上させている。なお、このバネ付き逆止弁７０Ａのケーシング７１（図４（Ｃ）参照）は、図３（Ｃ）に示した逆止弁７０のケーシング７１と同様に構成される。
【００３５】
このようなバネ付きの逆止弁７０Ａによれば、水抜きが完了し、排水入口７０ａと排水出口７０ｂとの水圧差が少なくなると、バネｋの押圧力によって弁７６Ａが排水入口７０ａ側に移動されて自動的に排水入口７０ａが閉じられるので、通常の運転動作の開始当初より、入力ポート１１へ供給された水が連通路６から第２の出力ポート１３へ漏出するのを阻止することができる。
【００３６】
（３）また、更なる他の実施形態は、上記実施形態（図２）の流量制御弁１において、連通路６を通って入力ポート１１から第２の出力ポート１３へ水が漏出するのを阻止するための漏出阻止手段としてのシャッター機構８０を入力ポート１１内に設ける。
図５に示すように、このシャッター機構８０は、入力ポート１１の内壁１１ｂに沿って摺動可能に配設されて入力ポート１１側の連通路６の開口を開閉する筒状のシャッター部８１と、シャッター部８１の上端から内方へ向けて延設された抵抗片８２と、シャッター部８１の上端と入力ポート１１の内壁１１ｂに周設する凹所１１ｃとの間に介装されて連通路６の開口が開く方向にシャッター部８１を付勢するバネ８３とを備えている。シャッター部８１は、水量センサ５のケーシング５１の上部に摺動可能に外装されており、このシャッター機構８０が水量センサ５に組み付けられている。
【００３７】
これにより、水抜き時は、バネ８３によりシャッター部８１が上流側に移動された状態に保持されて連通路６の開口が開けられているので、第２の出力ポート１３内の残水が連通路６を通って入力ポート１１へ流出される。一方、通常の運転動作時には、抵抗片８２が入力ポート１１へ供給される水の水圧を受けてバネ８３の押圧力に抗してシャッター部８１が下流側に移動して連通路６の開口が閉じられ、入力ポート１１から連通路６を通って第２の出力ポート１３へ水が漏出するのを阻止することができる。従って、通常の運転動作時には、入力ポート１１へ供給された水が連通路６から第２の出力ポート１３へ漏出することがなく入力ポート１１に供給された全ての水が流入通路１５に流される。
【００３８】
（４）また、更なる他の実施形態として、図６に示すように、流量制御弁１Ａは、水量サーボ部２のサーボ本体２Ｂと分流サーボ部３のサーボ本体３Ｂとを別体で構成してこれらを組み付けるようにしてもよい。この場合、連通路６は、水量サーボ部２側の連通路６ａと分流サーボ部３側の連通路６ｂとを結合して構成される。
【００３９】
なお、本発明に係る流量制御弁は、本発明の要旨を変更しない範囲で各種の変更を施すことが可能である。
例えば、連通路６は、略水平に設けるが、入力ポート１１側へ向かって下方へ傾斜するように横方向に延設してもよいし、また、第２の出力ポート１３の底面に開口させて壁部１０ａを横方向に貫通形成して入力ポート１１へ開口させるようにしてもよい。この場合、第２の出力ポート１３の残水を入力ポート１１へ流し込み易くでき、第２の出力ポート１３での残水の滞留を一層抑制できる。
また、本発明に係る流量制御弁は、給湯器Ａ以外に温水暖房装置等の各種の温水機器における分流弁（流量制御弁）として適用可能である。
【符号の説明】
【００４０】
１  流量制御弁
２  水量サーボ部
３  分流サーボ部
５  水量センサ
６  連通路
１０  サーボ本体
１０ａ  壁部
１１  入力ポート
１１ａ  入口
１２  第１の出力ポート
１２ａ  第１出口
１３  第２の出力ポート
１３ａ  第２出口
１４  第１弁室
１５  流入通路
１６  第２弁室
２０  第１の水量調節弁
２２  弁体
３０  第２の水量調節弁
３１ａ  シャフト３１の先端
３２  第１弁体
３３  第２弁体
６１  大径部
６２  小径部
７０  逆止弁
８０  シャッター機構
Ａ  給湯器
Ｅ  排水栓
【図１】
2011236980.tif 000003
【図２】
2011236980.tif 000004
【図３】
2011236980.tif 000005
【図４】
2011236980.tif 000006
【図５】
2011236980.tif 000007
【図６】
2011236980.tif 000008
【図７】
2011236980.tif 000009